(57)【要約】  本発明は、誘導ミサイルから目標物を保護するための偽装及びデコイ軍需物品に関し、この軍需物品は、霧（ミスト）及び／又は模擬ターゲット形成性の有効物質と、三次元的に分散した多数のホットスポットを生成する追加の火炎弾型照明体とを含んでいる。ホットスポット生成性の有効物質は、パルス化火炎を提供するような手法で具現することができる。【特許請求の範囲】
【請求項１】
誘導ミサイルから目標物を保護するためのものであって、煙及び／又は模擬目標物の形成を行う有効物質を含有する偽装及びデコイ軍需物品において、
前記軍需物品が、三次元で分配される多数のホットスポットを生成する火炎弾フレアをさらに含有していることを特徴とする偽装及びデコイ軍需物品。
【請求項２】
前記軍需物品のための噴射装薬に、所望の波長帯域において作用するホットスポットグラニュレートが添加されていることを特徴とする請求項１に記載の偽装及びデコイ軍需物品。
【請求項３】
ホットスポットを生成させため、点火されるべきカートリッジにペレットが適合していることを特徴とする請求項１又は２に記載の偽装及びデコイ軍需物品。
【請求項４】
前記軍需用品の破壊装薬にグラニュレートもしくはペレットが添加されており、所望の波長帯域においてホットスポットを生成することを特徴とする請求項１〜３のいずれか１項に記載の偽装及びデコイ軍需物品。
【請求項５】
ホットスポットを生成するフレアもしくはペレットが前記軍需物品の有効物質に混入されていて、煙もしくは模擬目標物の形成を行うことを特徴とする請求項１〜４のいずれか１項に記載の偽装及びデコイ軍需物品。
【請求項６】
ホットスポットを生成する有効化合物は、連続的ではなくて、パルス化された形で燃焼することを特徴とする請求項１〜５のいずれか１項に記載の偽装及びデコイ軍需物品。
【発明の詳細な説明】
【技術分野】
【０００１】
本発明は、誘導ミサイルから目標物を保護するためのものであって、煙及び／又は模擬（ｓｐｏｏｆ）目標物の形成を行う有効物質を含有し、かつ誘導ミサイルがそれら自身の位置確認を行う能力に対して悪影響を与えるデコイ効果を発生する偽装及びデコイ軍需物品に関する。
【背景技術】
【０００２】
誘導ミサイルから目標物を保護するため、人工的に煙又は模擬目標物の形成を行い、同じようなターゲットのところで信号を発生させることによって接近しつつあるミサイルの向きを変えさせるような偽装及びデコイ軍需物品を公知な手法で使用している。
【０００３】
例えば、ドイツ特許公開公報第１００６５８１６（Ａ）号公報は、発煙に有効な化合物とＩＲ活性化合物の両方を含有する発煙用軍需品を開示している。また、欧州特許出願第０５１２２０２（Ａ２）号公報は、ＩＲ線を発生している目標物からミサイルを保護する方法であって、ジャミング線雲（クラウド）を発生させて、保護されるべき目標物からミサイルを離した位置に行かせ、次いでその発射物を燃焼させる方法を開示している。ここで、ジャミング線雲は、まず、強力なＩＲ線を短時間に放出し、ミサイルの探知ヘッドのロックオン及び追跡電子装置を攪乱する。次いで、目標物のＩＲサインに若干似ている多数で大面積及び一様な火炎弾赤外ごまかしターゲット雲を発生させる。
【０００４】
ロケットの尾部にあるホットスポットを測定することによってターゲットに接近しつつある誘導ミサイルの所在を確認し、それらの誘導ミサイルがそれぞれの位置の関数としてターゲットに誘導されるとき、同一の波長帯域で作用するホットスポットを生成することによってロケットのコントロールシステムを偽装することは公知である。虚偽のホットスポットを測定することによって虚偽のコントロール信号が発生され、ロケットが偏向される。
【０００５】
例えばこのような偏向（デフレクション）効果をもたらすために、いわゆるジャマー（攪乱手段）が使用されている。ジャマーは、ターゲットにあったランプであり、所望とするスペクトル帯域において均一なあるいはパルス化された光の信号を透過するものである。同様に、保護されるべきビヒクル（手段）に隣接して燃焼されるかあるいはそれらのものから離れて添加されるような火炎弾フレアによって製造されるもののような偏向効果もまた公知である。
【０００６】
電子的なジャマーや火炎弾フレアには、１つの偏向点のみを表すという欠点がある。加えて、これらの位置固定のジャマーや火炎弾フレアは、隔離して、特定のターゲットサインとして使用することができる。そのために、この手段では、ミサイルが非常に高い高度で接近しつつあるときでさえも、保護を行うことができない。
【０００７】
点火されたフレアには、その他の防御手段とともに付加的な軍需物品として点火されなければならないという欠点があり、よって複雑度がかなり上昇する。さらに、これらのものには、最近のロケット位置確認システムによって同定及び抑止することができる単一の長時間維持するホットスポットを形成するという欠点がある。
【発明の開示】
【発明が解決しようとする課題】
【０００８】
したがって、本発明の目的とするところは、誘導ミサイルから目標物を保護するものであって、でき得る限りに総合的な保護をもたらす偽装及びデコイ軍需物品を提供することにある。
【課題を解決するための手段】
【０００９】
本発明によれば、この目的は、三次元で分配される多数のホットスポットを生成する火炎弾フレアを軍需物品にさらに含ませることによって達成することができる。
【発明を実施するための最良の形態】
【００１０】
本発明によれば、したがって、ホットスポットによって引き起こされる偏向効果が偽装及びデコイ軍需物品において一体化せしめられる。本発明による偽装及びデコイ軍需物品は、総合的な保護を奏するものであり、脅威にさらされているターゲットを保護するばかりでなく、所望とするデコイ信号を発生することもできる。この目的のため、多数のホットスポットがデコイ信号として同時に生成せしめられる。この場合に、軍需物品に点火したときに及び／又は軌道に乗ったときに及び／又は軍需物品が破壊したときに直ちに、デコイ信号を生成することができる。そのために、偏向を行うフレアは、異なる接近経路（低い高度のアプローチ、高い高度のアプローチ等）をもったいろいろなミサイルのおとり（デコイ）となるため、異なる位置でかつ異なる時間で作用することができる。よって、ターゲットの目標物、例えばビヒクルに直に隣接させてフレアを生成することができ、さもなければターゲットの目標物から空気中に、あるいはまた空気中のターゲットの目標物からある間隔をあけて、特に破壊点から地面までの間隔で、フレアを点火することができる。このことによって、ミサイル位置の照準線（ＬＯＳ）上の飛翔の原理とは独立して偏向効果を達成することを保証することができる。
【００１１】
ある特定の態様において、連続的な線（ラジエーション）の代わりにパルス化線が放出されるように燃焼プロセスを調整する。この方法はまた、連続的な信号を検出し、分離することのできる最近の位置確認装置に対しても有効である。
【００１２】
偽装及びデコイ軍需物品では、ホットスポット形成物質をいろいろな手法で一体化することができ、また、いろいろな手法を互いに組み合わせてもよい。
【００１３】
１．所望の波長帯域で作用するホットスポットグラニュレートを駆出装薬に添加することによること：
この場合に、駆出装薬に添加されるグラニュレートは、所望とする波長帯域において最適な効果を達成するため、赤燐を主成分とするか、さもなければフレア装薬及び／又はＩＲフレア装薬を主成分とすることができる。
【００１４】
赤燐を主成分とするフレアの例：
６０〜８０％      赤燐
３０〜１０％      周期律表の第１及び第２群の硝酸塩
５〜１０％      軽量金属、例えばマグネシウム及び／又はアルミニウム
約５％      結合剤、例えば水性分散接着剤
【００１５】
ＩＲフレア装薬を主成分とする照明弾の例：
５０〜７０％      硝酸カリウム
２０〜１０％      ヘキサメチレンテトラミン
５〜１０％      ジアジジカルボンアミド
１〜５％      金属粉末、例えばケイ素及び／又はホウ素
１〜５％      結合剤、例えばアクロイドゴム、ポリビニルブチレート
【００１６】
２．添加されるべきカートリッジにホットスポットの形でトレーサを製造するためにペレットを適合させること：
【００１７】
ペレットの組成例：
５０〜７０％      硝酸カリウム
２０〜１０％      ヘキサメチレンテトラミン
５〜１０％      ジアジジカルボンアミド
２〜５％      金属粉末、例えばケイ素及び／又はホウ素
１〜５％      結合剤、例えばアクロイドゴム、ポリビニルブチレート
【００１８】
３．所望の波長帯域でホットスポットを生成するグラニュレート又はペレットを破壊装薬に対して添加すること：
【００１９】
グラニュレート又はペレットの組成例：
５０〜８０％      硝酸バリウム
２０〜５０％      マグネシウム
０〜１０％      結合剤
【００２０】
４．煙もしくは模擬ターゲットの形成を行う有効物質においてホットスポットを生成するフレア又はペレットを混入すること：
【００２１】
フレア又はペレットの組成例：
６０〜８０％      赤燐
５〜２０％      周期律表の第１及び第２群からの硝酸塩
０〜１０％      軽量金属、例えばマグネシウム及び／又はアルミニウム
５〜２０％      結合剤、例えば水性分散接着剤
【国際調査報告】
2008538808.tif 000002
2008538808.tif 000003
2008538808.tif 000004
2008538808.tif 000005
2008538808.tif 000006
2008538808.tif 000007